(57)【要約】      （修正有）【課題】着脱、輸送、保管及び組付けが便利な集積型カーテン駆動装置を提供する。【解決手段】集積型カーテン駆動装置は、前端が開放し、内部に収容室を形成した筐体１と、ブラケット４の上に駆動モーター３及び電源アセンブリ２を前後に配置し、筐体の前端から収容室内に脱着可能に組み込まれるブラケットと、筐体の前端面に脱着可能に取り付けられ、駆動モーターのモーターシャフトが前方に向けて前端蓋５から突出する前端蓋と、を備える。この技術的手段は、駆動モーター、電源アセンブリをブラケットに取り付けた後、全体として筐体内に組み込み、前端蓋で封止して集積型駆動電源ボックスを形成でき、全体的な集積度が高く、着脱が容易である。電動カーテン全体にとって、電源アセンブリ及び駆動モーターの集積設計により、着脱、輸送、保管及び組付けが便利となる。【選択図】図２
0003235018.tif 000002
【実用新案登録請求の範囲】
【請求項１】
電動カーテンに応用される集積型カーテン駆動装置であって、
前端が開放し、内部に収容室を形成した筐体（１）と、
ブラケット（４）の上に駆動モーター（３）及び電源アセンブリ（２）を前後に配置し、前記筐体（１）の前端から収容室内に脱着可能に組み込まれるブラケット（４）と、
前記筐体（１）の前端面に脱着可能に取り付けられ、前記駆動モーター（３）のモーターシャフトが前方に向けて前端蓋（５）から突出する前端蓋（５）と、を備えることを特徴とする、電動カーテンに応用される集積型カーテン駆動装置。
ことを特徴とする、
【請求項２】
前記前端蓋（５）の前記駆動モーター（３）に面する側から複数の係止爪（１１）が後方に延在し、前記係止爪（１１）は前記筐体（１）内に延入して前記ブラケット（４）に穿設された係止口（１２）に係着され、前記前端蓋（５）の前端面にも回転ブレード構造（１３）が形成されることを特徴とする、請求項１に記載の電動カーテンに応用される集積型カーテン駆動装置。
【請求項３】
前記ブラケット（４）上の前記電源アセンブリ（２）の後部に前記電源アセンブリ（２）と電気的に接続する回路基板（７）も設けられ、前記筐体（１）の後端に取り付け空洞が形成され、後端蓋（６）で封止されることを特徴とする、請求項１に記載の電動カーテンに応用される集積型カーテン駆動装置。
【請求項４】
前記前端蓋（５）に前記駆動モーター（３）の出力軸が挿通するための貫通穴が穿設されることを特徴とする、請求項１に記載の電動カーテンに応用される集積型カーテン駆動装置。
【請求項５】
前記ブラケット（４）の外壁にバックルロック（１４）が脱着可能に取り付けられ、前記前端蓋（５）に前記バックルロック（１４）の舌部が挿通するためのスロット（１５）が穿設され、前記筐体（１）の周壁に前記バックルロック（１４）の外縁を露出するためのノッチが穿設されることを特徴とする、請求項１に記載の電動カーテンに応用される集積型カーテン駆動装置。
【請求項６】
前記筐体（１）の内側壁に少なくとも１つの摺動溝（９）が設けられ、前記摺動溝（９）は前記筐体（１）の長手方向に沿って延在すると共に前記筐体（１）の前端の開放端から始まり、前記ブラケット（４）に前記摺動溝（９）の数と同じ、形状がぴったり合うフランジ構造（１０）が設けられることを特徴とする、請求項１に記載の電動カーテンに応用される集積型カーテン駆動装置。
【考案の詳細な説明】
【技術分野】
【０００１】
本考案は、電動カーテン用付属品の技術分野に関し、特に、集積型カーテン駆動装置に関する。
【背景技術】
【０００２】
電動カーテンは、住宅及び商業施設で幅広く活用され、一般的な電動カーテンについて電動カーテン本体に電源アセンブリ及び駆動アセンブリを設計する必要がある。従来技術では、ほぼ両者を直接電動カーテン本体の内部に集積するため、取り付け・取り外し・保守及び輸送・保管が非常に不便であるという問題が存在している。
【考案の概要】
【考案が解決しようとする課題】
【０００３】
従来技術に存在している上記問題点に着目し、本考案は、上記技術的欠陥を克服するため、集積度が高く、着脱、輸送、保管及び組付けに便利な集積型カーテン駆動装置を提供することを目的とする。
【課題を解決するための手段】
【０００４】
本考案は、上記目的を達成するため以下のような技術的手段を講じた。
電動カーテンに応用される集積型カーテン駆動装置であって、
前端が開放し、内部に収容室を形成した筐体と、
ブラケットの上に駆動モーター及び電源アセンブリを前後に配置し、筐体の前端から収容室内に脱着可能に組み込まれるブラケットと、
筐体の前端面に脱着可能に取り付けられ、駆動モーターのモーターシャフトが前方に向けて前端蓋から突出する前端蓋と、を備える。
【０００５】
好ましくは、前端蓋の駆動モーターに面する側から複数の係止爪が後方に延在し、係止爪は筐体内に延入してブラケットに穿設された係止口に係着されている。
【０００６】
好ましくは、ブラケット上の電源アセンブリの後部に電源アセンブリと電気的に接続する回路基板も設けられる。
【０００７】
好ましくは、筐体の後端に取り付け空洞が形成され、後端蓋で封止される。
【０００８】
好ましくは、前端蓋に駆動モーターの出力軸が挿通するための貫通穴が穿設される。
【０００９】
好ましくは、前端蓋の前端面にも回転ブレード構造が形成される。
【００１０】
好ましくは、ブラケットの外壁にバックルロックが脱着可能に取り付けられ、前端蓋にバックルロックの舌部が挿通するためのスロットが穿設され、筐体の周壁にバックルロックの外縁を露出するためのノッチが穿設される。
【００１１】
好ましくは、筐体の内側壁に少なくとも１つの摺動溝が設けられ、摺動溝は筐体の長手方向に沿って延在すると共に筐体の前端の開放端から始まり、ブラケットに摺動溝の数と同じ、形状がぴったり合うフランジ構造が設けられる。
【考案の効果】
【００１２】
上記技術的手段の有利な効果としては、
集積型カーテン駆動装置は、筐体と、ブラケットと、駆動モーターと、電源アセンブリと、前端蓋と、を備え、駆動モーター、電源アセンブリをブラケットに取り付けた後、全体として筐体内に組み込み、前端蓋で封止して集積型駆動電源ボックスを形成でき、全体的な集積度が高く、着脱が容易で、電動カーテン全体にとって、電源アセンブリ及び駆動モーターの集積設計により、着脱、輸送、保管及び組付けに便利である。
【図面の簡単な説明】
【００１３】
【図１】本考案の集積型カーテン駆動装置の立体図である。
【図２】本考案の集積型カーテン駆動装置の立体分解図である。
【図３】別の角度から見た本考案の集積型カーテン駆動装置の立体分解図である。
【図４】本考案の集積型カーテン駆動装置における筐体の立体図である。
【考案を実施するための形態】
【００１４】
本考案の実現する技術的手段、創造的特徴、達成目的及び効果を理解しやすくするため、以下に実施例及び図面を参照しつつ本考案を具体的に説明する。
【００１５】
図１乃至図４を参照すると、本実施例により提供される電動カーテンに応用される集積型カーテン駆動装置は、
前端が開放し、内部に収容室を形成した筐体１と、
ブラケット４の上に駆動モーター３及び電源アセンブリ２を前後に配置し、筐体１の前端から収容室内に脱着可能に組み込まれるブラケット４と、
筐体１の前端面に脱着可能に取り付けられ、筐体１の開放端を封止するために用いられ、駆動モーター３のモーターシャフトが前方に向けて前端蓋５から突出する前端蓋５と、を備える。
【００１６】
上記技術的手段によれば、集積型カーテン駆動装置は、筐体１と、ブラケット４と、駆動モーター３と、電源アセンブリ２と、前端蓋５と、を備え、駆動モーター３、電源アセンブリ２をブラケット４に取り付けた後、全体として筐体１内に組み込み、前端蓋５で封止して集積型駆動電源ボックスを形成でき、全体的な集積度が高く、着脱が容易で、電動カーテン全体にとって、電源アセンブリ２及び駆動モーター３の集積設計により、着脱、輸送、保管及び組付けに便利である。
【００１７】
好ましい実施形態において、具体的には図２及び図３に示すように、筐体１の内側壁に少なくとも１つの摺動溝９が設けられ、摺動溝９は筐体１の長手方向に沿って延在すると共に筐体１の前端の開放端から始まり、ブラケット４に摺動溝９の数と同じ、形状がぴったり合うフランジ構造１０が設けられることで、取り付けの位置決め及び円周方向変位の防止目的を達成する。具体的には本実施例において、駆動モーター３の前後端に防振ブロックがそれぞれ設けられ、２つの防振ブロックは駆動モーター３を挟持すると共にブラケット４に組み付けられ、かつ上記フランジ構造１０が防振ブロックの外縁に形成されるが、当然前記フランジ構造１０がブラケット４に直接形成することもでき、これに限定されない。さらに、前端蓋５の駆動モーター３に面する側から複数の係止爪１１が後方に延在し、係止爪１１は筐体１内に延入してブラケット４に穿設された係止口１２に係着されていることで、位置決め効果をさらに向上することができるが、前端蓋５と筐体１との間の接続もネジによる接続方法で実現でき、これに限定されない。
【００１８】
より好ましい実施形態において、ブラケット４上の電源アセンブリ２の後部に電源アセンブリ２と電気的に接続する回路基板７も設けられ、電源アセンブリ２及び駆動モーター３の作動状態を制御するために用いられる。さらに、筐体１の後端に取り付け空洞が形成され、後端蓋６で封止される。さらに、取り付け空洞内に回路基板７と互いに電気的に接続されたライトボード８が取り付けられ、ライトボード８に少なくとも１つの表示灯及び操作ボタンを有し、表示灯及び操作ボタンは、後端蓋６に穿設された穴部を通って後方に突出する。さらに、前端蓋５に駆動モーター３の出力軸が挿通するための貫通穴が穿設される。
【００１９】
より好ましい実施形態として、電動カーテン本体に組み込んで位置合わせて締め付けるための前端蓋５の前端面にも回転ブレード構造１３が形成される。さらに、ブラケット４の外壁にバックルロック１４が脱着可能に取り付けられ、前端蓋５にバックルロック１４の舌部が挿通するためのスロット１５が穿設され、筐体１の周壁にバックルロック１４の外縁を露出するためのノッチが穿設されることで、三者を位置合わせて締め付けて位置決め役割を果たす。
【００２０】
上記は、本考案の好ましい実施例に過ぎず、本考案にとって例示であって制限的なものではないと考えられるべきである。当業者は、本考案のクレームによって限定される精神及び範囲内で多種多様の変更や修飾、さらに均等物を加えることができる。ただし、かかる変更や修飾などは、本考案の意図した保護範囲内に網羅される。
【図１】
0003235018.tif 000003
【図２】
0003235018.tif 000004
【図３】
0003235018.tif 000005
【図４】
0003235018.tif 000006